(57)【要約】  【課題】  トランプカードの組の中に所定の組を構成しない異常トランプカードが含まれていないかを検査（判別）することのできるトランプカードの検査装置を提供する。  【解決手段】  本発明では、真正なトランプカードの中に不正目的で混入された異常トランプカードを発見するために、所定の組を構成することを表す識別コードをトランプカードに設ける。そして、所定の組を構成する複数枚のトランプカードのそれぞれから識別コードを読取ることにより、真正なトランプカードであるか異常トランプカードであるかを判断する。識別コードは、通常の使用状態において人間の視覚により見ることのできない状態でトランプに与えられる。【選択図】  図８
2008093470.tif 000002
【特許請求の範囲】
【請求項１】
トランプカードに設けられた識別コードであって所定の組を構成することを表す識別コードを読み取って読取データを生成するためのコード読取部と、
前記読取データに基づいて、複数枚のトランプカードの中に所定の組を構成しない異常トランプカードが含まれていることを判定する判定部と、
を有するトランプカードの検査装置であって、
前記複数枚のトランプカードの数字が書かれている面とは逆の面である裏面に表された絵柄を読み取る絵柄読取部をさらに有し、
前記判定部は、さらに、前記絵柄読取部により読み取られた絵柄に基づいて、前記複数枚のトランプカードの中に前記所定の組を構成しない異常トランプカードが含まれていることを判定することを特徴とする検査装置。
【請求項２】
前記絵柄が表された面とは逆の面に表されたトランプカードの種類表記を読み取る種類表記読取部をさらに有し、
前記コード読取部、前記絵柄読取部、及び前記種類表記読取部は、共通の読取装置であり、
前記絵柄又は前記種類表記を前記共通の読取装置に向けて反射させるミラーをさらに有することを特徴とする請求項１に記載の検査装置。
【請求項３】
前記複数枚のトランプカードをスタックするスタッカと、
少なくとも一対のローラを有し、前記一対のローラにより前記スタッカにスタックされるトランプカードを順に前記単一の読取装置に対向する位置に搬送する搬送部とをさらに有し、
前記ミラーは、前記一対のローラにより片持ちされるトランプカードの自由端側の絵柄又は種類表記を前記単一の読取装置に向けて反射させることを特徴とする請求項２に記載の検査装置。
【発明の詳細な説明】
【技術分野】
【０００１】
本発明は、トランプカードの組の中に所定の組を構成しない異常トランプカードが含まれていないかを検査（判別）する技術に関する。
【背景技術】
【０００２】
カジノの遊技場では、複数のコーナーが設けられており、各コーナーにおいてトランプカードを用いたゲームが行われる。このようなカジノ遊技場において、営業者はゲームにおいて不正が行われなかったかを監視している。悪質な不正行為者は、トランプカードを改ざんしたり自ら用意したトランプカードをゲームに持ち込んだりすることにより不正なカードを利用する。
【０００３】
このような不正なカードを発見するために、従来は、人間の手作業による検査を行っていた。具体的には、人間がある一組を構成するトランプカードのスート（スペード、ハート、ダイヤ、クローバ）及びランク（Ａ、２、・・・、１０、Ｊ、Ｑ、Ｋ）を確認することにより、その組の中に不正なカードが混入されていないかを検査していた。
【特許文献１】特開平１１−２６７２６４号公報
【発明の開示】
【発明が解決しようとする課題】
【０００４】
上述した従来の検査方法では、ある組に不正カードが混入されただけの場合及び、ある組からトランプカードが抜き取られた場合には、その組を用いたゲームにおいて不正行為が行われたことを発見することができた。しかし、不正なカードがある組に混入されるとともに、その不正なカードに対応する正当なカード、即ち不正なカードとスート及びランクが同一であるカード、がその組から抜き取られていた場合には、その組を用いたゲームにおいて不正が行われたことを発見することはできない。通常は、不正カードは他のカードと見た目がほとんど同じであるからである。
【０００５】
また、人間の手作業による検査作業では、人件費が嵩むとともに作業速度が遅いという問題がある。更に、検査作業を行う者自身が、検査作業において不正行為を行う可能性があり、検査の信頼性が低いという問題もある。
【０００６】
特に、近年トランプカードの品質が向上して長期間、例えば２週間程度、使用できるようになったことにより、使用後のトランプカードを再使用するための検査が多くなり、その作業性の向上と信頼性の向上及びコストの削減が大きな課題となっている。
【０００７】
そこで、本発明は、ある組に不正なカードが混入していないかを判定することが可能なトランプカードの検査技術を提供し、また、その検査技術に好適に利用されるトランプカードを提供することを目的とする。本発明は、特に、人間の見た目には正当なカードに見える不正なカードが混入されていることを適切に発見することが可能な検査技術を提供し、また、その検査技術に好適に利用されるトランプカードを提供することを目的とする。
【０００８】
さらに、本発明は、トランプカードの検査において、人件費を抑え、作業速度を向上させ、又は検査の信頼性を向上させることを目的とする。
【課題を解決するための手段】
【０００９】
上記目的を達成するために、検査装置は、トランプカードを検査する検査装置であって、トランプカードに設けられた識別コードであって所定の組を構成することを表す識別コードを読み取って読取データを生成するためのコード読取部と、前記読取データに基づいて、複数枚のトランプカードの中に所定の組を構成しない異常トランプカードが含まれていることを判定する判定部と、を有する。
【００１０】
この検査装置により、不正行為者が不正なカードとして持ち込んだトランプカードは、異常トランプカードとして判別される。なお、この発明において、読取とは、イメージとして現れた識別コードを光学的に読み取ることのほか、トランプカードに磁気的に設けられた識別コード電磁気的に読み取ることなど、識別コードの内容を認識するためのすべての処理を含むものである。
【００１１】
１デッキ若しくは複数デッキからなる所定の組ごとに異なる識別コードを設けたトランプカードを使用しているカジノ遊技場においてこの検査装置を導入すれば、そのカジノ遊技場の管理者は、その所定の組に属するべき複数枚のトランプカードの中に不正なカードが混入された場合に、そのような複数枚のトランプカードのセットを異常トランプカードが混入された異常なセットとして認識することができる。特に、不正行為者があるテーブルで使用されているトランプカードを盗んで異なるテーブルにおいて不正に利用する場合など、絵柄だけでは判定できない異常トランプカードの混入も、識別コードを読み取ることにより発見可能となる。
【００１２】
識別コードによって分類される組の全トランプカードが一度の検査で検査されなくてもよい。例えば、１０００デッキからなる組に対してある識別コードが与えられた場合に、その１０００デッキのうちの数デッキのみを検査対象としてよい。この場合にもその検査対象たる複数枚のトランプカードの中にその組を構成しない異常トランプカードが含まれる場合には、その異常トランプカードが発見される。
【００１３】
この検査装置により、トランプカードの検査作業の作業性が向上するとともに、その信頼性も向上し、さらにはコストの削減にも繋がる。
【００１４】
好ましくは、前記識別コードは、通常の使用条件にて人間の視覚により見ることができない状態で前記トランプカードに設けられている。
【００１５】
これにより、トランプカードの本来の使用に支障をきたすことなく、識別コードによる異常トランプカードの混入の判定が可能となる。つまり、表（おもて）面にはスート及びランクからなる種類表記、裏面には絵柄が見えるのみで従来のトランプカード何ら変わらなく見えるトランプカード、即ち見た目には全く同じであるが組を構成しないトランプカード、を利用することができるため、カジノ遊戯者は違和感なくトランプカードを利用することがき、カジノ経営者もこの技術を導入しやすくなる。
【００１６】
なお、通常の使用条件にて人間の視覚により見ることができない状態とは、例えば、識別コードが所定の光を与えることによって始めて人間の目に見えるような特殊インクでトランプカード表面に印刷されている状態や、識別コードがトランプカードに磁気情報として与えられている状態などである。
【００１７】
好ましくは、上記判定装置は、トランプカードに所定の光を与えるための光源を有し、前記識別コードは、前記所定の光を受けることにより前記コード読取部によって読取可能となる。
【００１８】
好ましくは、上記検査装置は、前記判定部による判定の結果を報知する、報知部をさらに有する。
【００１９】
これにより、検査装置の操作者は検査した複数枚のトランプカードに異常トランプカードが混入されていることを容易に知ることができる。報知の手段としては、操作者の視覚に訴えるもの（例えばモニタ表示により報知するもの）であっても、聴覚に訴えるもの（例えばブザー音によって報知するもの）であっても、その他の感覚に訴えるものであってもよい。
【００２０】
好ましくは、上記検査装置は、トランプカードの種類表記を読み取る種類表記読取部をさらに有し、前記報知部は、前記判定の結果をモニタ表示するモニタであって、前記種類表記読取部により読み取られた種類をモニタ表示することにより異常トランプカードの種類をも報知する。
【００２１】
これによれば、検査装置の操作者は、異常トランプカードが混入されていること及びその異常トランプカードを視覚により認識することができる。
【００２２】
好ましくは、前記判定部は、前記コード読取部が前記複数枚のトランプカードのいずれかについて識別コードを読み取れない場合に、前記複数枚のトランプカードの中に所定の組を構成しない異常トランプカードが含まれていると判定する。
【００２３】
これにより、不正者が識別コードが付されていないトランプカード即ちカジノ遊戯場の外部から持ち込んだ不正のトランプカードをも異常トランプカードとして判別することができる。
【００２４】
好ましくは、上記検査装置は、前記所定の組に対応する正常識別コードを記憶する、正常識別コード記憶部をさらに有し、前記判定部は、前記コード読取部により読み取られた識別コードと前記正常識別コード記憶部に記憶された正常識別コードとを比較して、その識別コードと正常識別コードとが一致しない場合に、前記複数枚のトランプカードの中に前記所定の組を構成しない異常トランプカードが含まれていると判定する。
【００２５】
この検査装置によれば、まず参照基準とされる正常識別コードが特定され、検査対象となる複数枚のトランプカードがそれぞれその特定された正常識別コードと一致するか否かにより異常トランプカードの判別が行われる。
【００２６】
好ましくは、前記記憶部は、前記コード読取部により読み取られた識別コードを正常識別コードとして記憶する。
【００２７】
この検査装置によれば、コード読取部を、検査対象のトランプカードから識別コードを読取るための手段として用いる他、正常識別コードを特定するための手段として併用することができ、装置の構成が簡素化できる。
【００２８】
好ましくは、前記正常識別コードとして記憶される識別コードは、前記複数枚のトランプカードから読み取られた識別コードのうちの最も多い識別コードである。
【００２９】
この装置においては、検査対象である複数枚のトランプカードにおいて、最も多い識別コードを基準対象となる正常識別コードとする。したがって、ある複数枚のトランプカードについて、検査装置の操作者がその複数枚のトランプカードにおける正常識別コードを認識していないとしても、異常トランプカードが存在するか否かを判定することができる。つまり、検査を実施するに当たって、その操作者がその検査対象に対する正常識別コードを予め認識する必要がなくなる。
【００３０】
好ましくは、前記正常識別コードとして記憶される識別コードは、前記複数枚のトランプカードについて最初に読み取られた識別コードである。
【００３１】
検査対象たる複数枚のトランプカードは、その大多数が正常トランプカードでることが想定されるので、最初に読み取った識別コードを正常識別コードと考えることができる。
【００３２】
なお、最初に異常トランプカードの識別コードを読み取り、そのコードを正常識別コードとしてしまった場合には、本来正常であるトランプカードが異常トランプカードとして判定されてしまうことになる。しかしながら、その場合にも、結果としては、その検査対象たる複数枚のトランプカードに不正に混入されたトランプカードが存在することは判定できることになる。
【００３３】
なお、最初に読取られて正常識別コードとして記憶される識別コードを前記複数枚のトランプカードとは異なるサンプルカードから読み取られた識別コードとすれば、上記の問題は解消する。
【００３４】
好ましくは、上記検査装置は、操作者が識別コードを入力するための入力部をさらに有し、前記正常識別コードとして記憶される識別コードは、前記入力部から入力された識別コードである。
【００３５】
好ましくは、前記所定の組は複数のデッキから構成され、前記複数のデッキはそれぞれ異なる正常識別コードを有し、かつ、前記判定部は、前記コード読取部により読み取られた識別コードが前記それぞれのコードのいずれにも一致しない場合に、前記複数枚のトランプカードの中に前記所定の組を構成しない異常トランプカードが含まれていると判定してもよい。
【００３６】
トランプカードは数デッキを一組として使用されることがある。この様な場合に、この検査装置によれば、各デッキがそれぞれ別の識別コードを持っていてもよい。例えば、検査対象たる複数枚のトランプカードが４デッキからなっており、デッキ毎に識別コードが異なっていたとしても、それら４つの識別コードを全て正常識別コードとして、その４つの識別コードのいずれをも有さないカードを異常トランプカードとして判別することができる。
【００３７】
好ましくは、前記判定部は、前記コード読取部により前記複数枚のトランプカードからそれぞれ読み取られた識別コードを互いに比較することによりその複数枚のトランプカードの中に前記所定の組を構成しない異常トランプカードが含まれていると判定する。
【００３８】
この検査装置によれば、検査対象である複数枚のトランプカードの識別コードがすべて一致する場合を除き、異常トランプカードが混入されていると判定される。
【００３９】
好ましくは、上記検査装置は、前記所定の組を構成しない異常トランプカードを摘出する異常トランプカード摘出手段をさらに有する。
【００４０】
これによれば、混入された異常トランプカードがどのトランプカードであるかを確認することができる。
【００４１】
好ましくは、前記異常トランプカード摘出手段は、前記読取部による読み取りが終了した異常トランプカードを他のトランプカードとは異なる場所に配置することにより異常トランプカードを摘出する。
【００４２】
この検査装置によれば、異常トランプカードを容易に取り出すことができる。
【００４３】
好ましくは、上記検査装置は、前記複数枚のトランプカードを順に前記コード読取部に送る搬送部と、前記摘出手段は、前記判定手段により異常トランプカードが含まれていると判定した場合に前記搬送部の動作を停止させることにより異常トランプカードを摘出する。
【００４４】
この検査装置によれば、異常トランプカードを容易に取り出せるとともに、検査にかかる時間を短縮することができる。
【００４５】
本発明にかかる検査装置は、前記複数枚のトランプカードに表された絵柄を読み取る絵柄読取部をさらに有し、前記判定部は、さらに、前記絵柄読取部により読み取られた絵柄に基づいて、前記複数枚のトランプカードの中に前記所定の組を構成しない異常トランプカードが含まれていることを判定する。
【００４６】
この装置によれば、識別コードと絵柄とによって異常トランプカードの混入を判定するので、異なる絵柄のトランプについては同一の識別コードを割り当てることができる。
【００４７】
好ましくは、上記検査装置は、前記絵柄が表された面とは逆の面に表されたトランプカードの種類表記を読み取る種類表記読取部をさらに有し、前記コード読取部、前記絵柄読取部、及び前記種類表記読取部は、共通の読取装置であり、前記絵柄又は前記種類表記を前記共通の読取装置に向けて反射させるミラーをさらに有する。
【００４８】
この装置によれば、ミラーを用いているので、本来それぞれ別々の面に表される絵柄と種類表記とを共通の読取装置によって読み取ることができる。したがって、片面ずつを読み取る読取部をそれぞれ設ける必要がなく、装置構成の簡略化及びコストダウンが図られる。なお、この場合において、識別コードはトランプカードのどちらの面に設けられていてもよい。識別コードが前記共通の撮像装置によって直接的に読み取れない場合には、この識別コードをも前記ミラーを用いて読み取ればよい。
【００４９】
好ましくは、上記検査装置は、前記複数枚のトランプカードをスタックするスタッカと、少なくとも一対のローラを有し、前記一対のローラにより前記スタッカにスタックされるトランプカードを順に前記共通の読取装置に対向する位置に搬送する搬送部とをさらに有し、前記ミラーは、前記一対のローラにより片持ちされるトランプカードの自由端側の絵柄又は種類表記を前記共通の読取装置に向けて反射させる。
【００５０】
この構成によって、装置の小型化が図られる。
【００５１】
上記目的を達成するために、トランプカードは、通常の使用状態において人間の視覚によって見ることができないとともに所定の識別装置によって識別可能な識別コードであって、そのトランプカードが属する組を表す識別コードの情報が与えられている。
【００５２】
このトランプカードにより、トランプカード自体は通常の使用状態では人間には従来のトランプと何ら見分けがつかないにもかかわらず、そのトランプカードの組に対して異常トランプカードが混入された場合には、所定の識別装置を用いることにより、そのような異常トランプカードの混入を判定することができる。したがって、このトランプカードを使用するカジノ遊技場においては、トランプカードの利用者（カジノの遊戯者）に違和感を与えることなく、また、通常のゲームに支障をきたすことなく、例えば、他のテーブルからトランプカードが不正に持ち込まれたことを発見することができる。また、このトランプカードによれば、同じ絵柄であって、かつ、すべてのスート及びランクが揃った複数枚のトランプカードであっても、その中に異常トランプカードが含まれている場合には、それを判定することができる。この点で、従来のように、単にスート及びランクがすべて揃っているか否かを判断するだけの検査装置と比較して、より巧妙な不正行為、即ち、不正なカードを混入させるとともにその混入したカードと同一のスート及びランクの正常カードを取り除く不正行為、をも発見できる。
【００５３】
好ましくは、上記トランプカードにおいて、前記識別コードが少なくとも２つあり、それら２つの識別コードはトランプカードの中心に関して点対称である。
【００５４】
このような構成にすることにより、トランプカードが上下どちらの向きであるかに関わらずトランプカードの所定位置において識別コードが認識される。なお、識別コードが少なくとも２つあれば、点対称の関係にない３つ目の識別コードが設けられていてもよいし、点対称の位置関係にある他の２つの識別コードが更に設けられていてもよい。
【００５５】
好ましくは、上記トランプカードにおいて、前記識別コードは、所定の光を受けることにより可視化される塗料で印刷されている。
【００５６】
トランプカードに識別コードの情報を与える手法は、種々あるが、このように塗料で印刷する手法は最も製造コストを低く抑えられる手法の一つである。
【００５７】
好ましくは、上記のトランプカードにおいて、前記識別コードは、バーコードとして印刷されている。
【００５８】
この構成より、識別コードの読取りが容易かつ確実になる。
【００５９】
好ましくは、上記トランプカードにおいて、前記識別コードは、トランプカードの種類表記と重ならない位置に印刷されている。
【００６０】
この構成により、種類表記も読み取りたい場合には識別コードも種類表記も明確に読み取ることができる。
【００６１】
好ましくは、上記のトランプカードにおいて、前記識別コードは、前記組に固有の組情報と、その組の製造年月日の情報とを有する。
【００６２】
この構成によれば、製造年月日が異なる組について同一の組情報を与えた場合にも、識別コード全体としては特定の組を表すこととなる。
【００６３】
好ましくは、上記のトランプカードにおいて、前記識別コードは、そのトランプカードが使用されるカジノに固有のカジノ情報を有する。
【００６４】
また、上記目的を達成するために、検査方法は、数枚のトランプカードを検査対象として検査する検査方法であって、所定の組を構成するそれぞれのトランプカードにその組を表すコードとして設けられた識別コードを読み取る工程と、前記読み取りの結果に基づいて、検査対象たる複数枚のトランプカードの中に所定の組を構成しない異常トランプカードが含まれていることを判定する工程とを有する。
【発明の効果】
【００６５】
本発明によれば、トランプカードの検査作業の作業性が向上するとともに、その信頼性も向上し、さらにはコストの削減にも繋がる。
【発明を実施するための最良の形態】
【００６６】
本発明の実施の形態を図面を参照しながら説明する。
【００６７】
〔トランプカード〕
図１は、トランプカードの表（おもて）面の通常の使用状態における概観図である。また、図２は、図１のトランプカードに特殊光線としての紫外線を照射したときの概観図である。トランプカード１０の表（おもて）面には、通常の使用状態では人間の視覚では見ることのできない状態で識別コードが記録さている識別コード記録部１１と、スートとしてスペード、ハート、ダイヤ、クローバのいずれか、ランク（ヴァリュ）としてＡ、２、・・・１０、Ｊ、Ｑ、Ｋのいずれか、がそれぞれ表記された種類表記部１２とが設けられている。
【００６８】
なお、本明細書及び請求の範囲において、「種類」とは、トランプカードのスートとランクとを意味し、「種類表記」とは、トランプカードの表（おもて）面に表されたスートとランクとを示す表記を意味する。また、「絵柄」とは、トランプカードの裏面に表された柄を意味する。１デッキを構成するトランプカードでは、それぞれ表面の種類表記が異なるとともに、すべて裏面の絵柄が同じである。通常のトランプゲームでは１デッキのみを用いるが、カジノでは、同一絵柄同士の複数デッキを用いてゲームを行うことがある。
【００６９】
識別コード記録部１１は、トランプカードの長方向の端方に設けられている。その識別コード記録部１１には、識別コードとしてのバーコード１１０が設けられている。バーコード１１０は、紫外線（ブラックライト）が当たると発色して人間の肉眼でも見ることができる紫外線発色インクでトランプカード１０に印刷されている。
【００７０】
また、図１に示すように、識別コード記録部１１は、種類表記部１２と重ならないように設けられている。なお、図１及び図２に示すように、トランプカードは、従来のトランプカードと同様に、ランクの数だけのスートマークを用いて種類を表記している。これを種類表記部として用いることも可能である。
【００７１】
図３は、他の例のトランプカードの表（おもて）面の通常の使用状態における概観図である。また、図４は、図３のトランプカードに紫外線を照射したときの概観図である。図３及び図４の例では、識別コード記録部１１がトランプカード１０の両長辺の近くに設けられている。トランプカード１０には、カード本体の短方向の両端方に対向するように、２つのバーコード１１０が印刷されている。
【００７２】
識別コード記録部１１は、トランプカード１０の中心に関して点対称な位置に２つあり、両識別コード記録部１１には同じ識別コードが与えられる。
【００７３】
ここで、識別コード記録部１１が１個所にしか設けられていないとすれば、後述する検査装置により検査をする際には、使用後にその上下向きがバラバラになってしまっている複数枚のトランプカードをまず、その単一の識別コードが所定の位置にくるように向きをそろえなければならない。そして、このような作業は煩雑である。ましてや識別コードは通常の使用状態において見えないのであるから、単一の識別コードの位置が揃うように向きをそろえることは困難である。さらに、トランプカードには、上下の区別のないデザインがされているカードもあるので（例えばダイヤの４など）、そのようなトランプカードについてはデザインを頼りに向きをそろえることもできない。
【００７４】
これに対して、単一の識別コードのみを設けたトランプカードについて、その向きによっていずれかに存在するという２個所から識別コードを読取り（必ずどちらか一方からしか読取れない）読取れた方の読取識別コードを採用することもできるが、検査装置の構成が複雑になるという点で好ましくない。
【００７５】
そこで、図３及び図４に示すトランプカード１０では、２つの識別コード１１０をトランプカードの中心に関して点対称な位置に設けている。これにより、検査されるそれぞれのトランプカードが上下いずれの方向を向いていたとしても、検査装置は、所定の位置に識別コードを見出すことができる。この構成によれば、検査作業の煩雑さを伴うことなく、また検査装置を複雑にすることなく、識別コードの読取りに基づく検査を行うことができるという利点がある。
【００７６】
なお、点対称な位置関係にある２つの識別コード以外に、同じ識別コードを更に別の位置に設けてもよいし、点対称な位置関係にある他の２つの識別コードの組を更に設けてもよい。
【００７７】
検査装置によりバーコード１１０、１１０を読み取る場合は、両方を読み取って、一方が読取不可能でも一方が読取り可能であれば、正常カードと判別されるようにしてもよい。また、バーコードを構成するコード内容が多い場合に、２箇所に分けて印刷し、両方のコードデータを一つのデータとしてもよい。
【００７８】
識別コードは紫外線により可視化されるインクの他、赤外線により可視化されるインクなど他のインクで印刷されてもよい。さらに、上記の例では、バーコードを通常の使用状態において人間の視覚により見えないインクで印刷することとしたが、これに限らず、通常の使用状態において人間の視覚により見える可視インクで印刷してもよい。このような可視インクによってバーコード１１０が印刷されているとその使用者にとっては違和感があるが、ゲームそのものに影響を与えることはない。従って、カードを安価に出来るという点では効果的である。
【００７９】
また、識別コードを磁気的に設ける場合には、磁化された部分が黒くカード表面に現れてもよい。この場合にも人間は通常の使用状態において何らかの識別コードが与えられていることは視覚により判断できるが、その識別コードが何であるのかを見ることはできない。つまり、人間の視覚によっては、ある識別コードの情報が与えられた磁化部分と他の識別コードの情報が与えられた磁化部分とを区別することはできない。このような状態も「通常の使用状態において人間の視覚により見ることができない」状態である。
【００８０】
また、図１〜図４の例の他、識別コード記録部１１は、トランプカード１０の裏面に設けられていてもよい。更に、トランプカードに内蔵されたＩＣチップに識別コードの情報を与えるなどにより、識別コード部１１をトランプカード１０の中に設けてもよい。
【００８１】
識別コードは、バーコードだけでなく、数字や記号等で構成されていてもよく、また、それらを混合して使用してもよい。
【００８２】
図５は、トランプカード１０に含まれる情報を模式的に表した図である。各トランプカード１０は、それに含まれる情報として、そのトランプカードが所属する組を表す識別コード情報１１０Ｊと、そのトランプカードの種類を表す種類情報１２Ｊと、トランプカードの絵柄を表す絵柄情報１３Ｊとを有する。なお、１デッキのトランプカードによって一つの組が構成される場合には、組を表す識別コード情報１１０Ｊは各デッキ毎に異なり、複数デッキのトランプカードによって一つの組が構成される場合には、組を表す識別コード情報１１０Ｊは、その組を構成する複数デッキについて共通である。
【００８３】
識別コード情報１１０Ｊは、トランプカード１０が所属する組に対して固有に与えられた組コード情報１１０１、製造年月日コード情報１１０２、製造元コード情報１１０３、カジノコード情報１１０４及び製造ロットコード情報１１０５からなっている。
【００８４】
ここで、組コード１１０１は例えば１００デッキ若しくは１０００デッキのトランプカードに対して共通に与えられてもよいし、デッキ毎に固有に与えられてもよい。即ち、組は例えば１０００デッキにより構成されてもよいし、１デッキにより構成されてもよい。
【００８５】
更に、実際の検査においては、後述するように、例えば１デッキ、４デッキ又は８デッキなどのトランプカードが検査の対象となり、その検査対象となる複数枚のトランプカードは、必ずしも識別コードにより分類される組とは一致しない。例えば１０００デッキのトランプカードに対して共通の識別コードが与えられている場合に、その１０００デッキのうちの８デッキのみを一組として検査の対象とすることがある。また、１デッキのトランプカードに対してそのデッキに固有の識別コードが与えられたときに、それぞれ識別コードの異なる４デッキを一組として検査の対象とすることがある。いずれの場合にも、後述する検査処理により、識別コードに基づく検査が可能である。
【００８６】
組コード情報１１０１については、少なくとも同じ製造年月日コード内においては一組一組に違う組コードとされる。これにより、識別コード全体としては、その組に固有のコードが与えられることとなる。
【００８７】
種類情報１２Ｊには、種類表記部１２が有するスート情報１２１及びランク情報１２２と、識別コード１１０と同様に通常の使用状態において不可視な状態で記録された種類コード情報１１０６とからなる。なお、種類コード情報１１０６は、識別コード１１０と同じ場所に設けられていてもよいし、また、識別コード１１０の中に含まれていてもよい。
【００８８】
絵柄情報１３Ｊは、トランプカード１０の裏面の絵柄自身が有する画像情報である。
【００８９】
〔第１の検査装置〕
図６は、検査装置の第１の形態を表す概略側面図である。また、図７は、図６の検査装置の概略平面図である。図６及び図７に示される検査装置１は、図３及び図４のタイプのトランプカード１０を検査するための装置として設計されている。
【００９０】
トランプカードの検査装置１は、検査対象たるトランプカード１０の束１００を置くためのカードセット台１４と、トランプカード１０をカードセット台１４の底側から一枚ずつ送り出すための送出ローラ１５とを有する。検査対象たるトランプカード１０は、スート及びランクが表記され、識別コードが印刷された表（おもて）面を上向きにしてカードセット台１４にセットされる。
【００９１】
また、検査装置１は、カードセット台１４から送り出されたトランプカード１０を搬送するための、適宜な間隔をあけて設けられた搬送ローラ１６及び１７と、搬送ローラ１６と搬送ローラ１７の間の上方に設けられトランプカード１０の識別コード記録部１１に紫外線（ブラックライト）を照射するための紫外線ランプ１９と、紫外線ランプ１９の間に設けられ紫外線により発色したバーコード１１０を読み取って読取データを生成するための紫外線センサ２０と、トランプカード１０の種類表記を読み取って読取データを生成するためのＣＣＤカメラ２１と、搬送ローラ１６と搬送ローラ１７の間の下方に設けられトランプカード１２の絵柄の形態を読み取るためのＣＣＤカメラ２２とを有する。
【００９２】
なお、上記の紫外線センサ２０を、紫外線ランプ１９によって紫外線を照射された識別コード部１１を撮影するＣＣＤカメラとしてもよい。紫外線センサ２０は上記のように識別コードがバーコードである場合の読取りに適しており、一方、ＣＣＤカメラは上記の識別コードが上記の特殊なインクによって数字や記号として印刷されている場合の読取りに適している。
【００９３】
送出ローラ１５によりカードセット台１４から送り出されたトランプカード１０は、搬送ローラ１６によって紫外線センサ２０などと対向する位置に搬送される。紫外線センサ２０、ＣＣＤカメラ２１及びＣＣＤカメラ２２は適宜なタイミングでトランプカード１０の所定部分を読み取る。
【００９４】
さらに、検査装置１は、異常カードを摘出するために、上下に回動して正常カードと異常カードの進行方向を切り換える仕分け片２４と、その仕分け片２４を回動駆動するロータリソレノイド２５と、正常カードをストックする正常カードストッカ２７と、異常カードをストックする異常カードストッカ２８とを有する。正常カードストッカ２７と異常カードストッカ２８とには、それぞれトランプカード１０を抜き取りやすくするための指通し切欠３２、３３が設けられている。
【００９５】
また、検査装置１は、紫外線センサ２０、ＣＣＤカメラ２１及びＣＣＤカメラ２２により生成された読取データを記憶して正常カードと異常カードとの判別をするなどの種々の処理を行うための制御部３１を有する。制御部３１は、コンピュータによって構成され、記憶判定ユニット２９と、記憶判定ユニット２９の判定結果を報知するモニタ３０とを有する。モニタ３０は、タッチパネル式のオペレーションパネルとなっており、操作者からの入力を受け付ける機能も有する。
【００９６】
図８は、検査装置１の機能的な構成を表すブロック図である。検査装置１は、制御部３１と、摘出部５０と、読取部６０と、搬送部７０とを有する。摘出部５０は、図６及び図７における仕切り片２４、ロータリソレノイド２５、正常カードストッカ２７及び異常カードストッカ２８に対応し、異常カードであると判定されたトランプカードを特定できるように摘出する機能を担う。
【００９７】
また、読取部６０は、紫外線センサ２０、ＣＣＤカメラ２１及び２２に対応し、トランプカード１０の特定個所を読み取り、読取データを生成して制御部３１に送る機能を担う。具体的に、読取部６０においては、紫外線センサ２０が識別コードを読取ることにより識別コード読取データが生成され、ＣＣＤカメラ２１が種類表記を読取ることによって種類読取データが生成され、ＣＣＤカメラ２２が絵柄を読取ることによって絵柄読取データが生成される。
【００９８】
さらに、搬送部７０は、送出ローラ１５、搬送ローラ１６及び１７並びにそれらの駆動モータに対応し、カードセット台１４にセットされたトランプカード１０から識別コードなどを読み取るために一枚ずつ順に搬送する機能を担う。
【００９９】
摘出部５０、読取部６０及び搬送部７０は制御部３１に電気的に接続されており、制御部３１により制御されてその機能を発揮する。
【０１００】
制御部３１は、記憶判定部２９０と入出力部３００とを有する。記憶判定部２９０は記憶判定ユニット２９に対応する。記憶判定部２９０は、さらに、記憶部２９１と判定部２９２とに分けられる。記憶部２９１には、基準コードとしての正常識別コードを記憶する正常識別コード記憶部２９１１と、基準となる絵柄画像データとしての比較絵柄データを記憶する比較絵柄データ記憶部２９１２と、基準となる種類画像データを比較種類データとしてすべてのスート及びランクについて記憶している比較種類データ記憶部２９１３とを有する。
【０１０１】
また、判定部２９２は、読取部６０の紫外線センサ２０において生成され送られてきた識別コード読取データと正常識別コード記憶部２９１１に記憶された正常識別コードとを比較することにより、トランプカード１０が正常であるか異常であるかを判定する識別コード判定部２９２１と、読取部６０のＣＣＤカメラ２２において生成され送られてきた絵柄読取データと比較絵柄データ記憶部２９１２に記憶された比較絵柄データとを比較することにより、トランプカード１０が正常であるか異常であるかを判定する絵柄判定部２９２２と、読取部６０のＣＣＤカメラ２１において生成され送られてきた種類読取データと比較種類データ記憶部２９１３に記憶された比較種類データとを照合することにより、読み取ったトランプカード１０の種類を特定する種類判定部２９２３とを有する。
【０１０２】
なお、判定部２９２は読取部６０から送られてきた各読取データを解析して読取った識別コードを認識する処理も行う。ここで、紫外線センサ２０によって識別コードと判断される像が検出されない場合には、判定部２９２は、エラーを表す識別コード（エラーコード）を認識する。つまり、識別コードを持たないトランプカード（外部から持ち込まれたカード）や識別コードが破損してしまったトランプカードが読取部６０により読取られた場合には、エラーコードと認識される。このエラーコードは、現に使用されているどの識別コードとも一致しないものである。
【０１０３】
入出力部３００は、タッチパネル方式のオペレーションパネルも兼ねるモニタ３０に対応し、機能的には出力部３０１と入力部３０２とを含む。出力部３０１では、検査の結果やタッチパネルとしてのボタンなどを表示し、また、入力部では、出力部３０１での出力内容と対応させて操作者からの入力を受け付ける。なお、本明細書においてオペレーションパネルとして機能するモニタ３０を「オペレーションパネル３０」と称呼することがある。
【０１０４】
〔第１の検査処理〕
図９は、検査装置１を用いて複数枚のトランプカード１０の束１００を検査する第１の検査処理（検査処理１）のフローチャートである。検査処理１においては、まず、正常識別コードを特定し（ステップＳ１）、検査対象たる複数枚のトランプカードについて、ステップＳ１で特定された正常識別コードに基づいて各トランプカードが正常であるか異常であるかの判定をし（ステップＳ２）、その判定結果を報知する（ステップＳ３）。異常であると判断された組は廃棄処分するとともに、正常と判断された組は再使用することができる。
【０１０５】
なお、以下では、主として、ごちゃ混ぜにされた状態の４デッキ分のトランプカードからなる束を一組として検査する場合の処理として、検査処理１を説明する。
【０１０６】
ステップＳ１で特定された正常識別コードは正常識別コード記憶部２９１１に記憶される。ここで、識別コードは４デッキのトランプカードからなる一組に対して一つだけ与えられていてもよいし、また、４デッキの各々について互いに異なる識別コードが与えられていてもよい。前者の場合には、特定される正常識別コードは１つのみであり、後者の場合には、４つの正常識別コードが特定されることになる。
【０１０７】
ステップＳ１において正常識別コードを特定し、ステップＳ２において判定を行うまでの処理については種々の形態があるので、以下、順に説明する。
【０１０８】
〔第１の検査処理における形態１〕
形態１では、まず、検査対象たる複数枚のトランプカード１０から識別コード１１０をそれぞれ読み取り、最も多いコードを正常識別コードと特定する。そして、再びその複数枚のトランプカード１０から識別コード１１０を読み取り、先に特定した正常識別コードと一致するか否かを判断することにより、各トランプカード１０が正常か異常かの判定を行う。
【０１０９】
図１０は、形態１における正常識別コード特定処理（正常識別コード特定処理１）のフローチャートであり、図１１は形態１における判定処理（判定処理１）のフローチャートであり、図１２は、形態１におけるモニタ３０の表示例である。
【０１１０】
正常識別コード特定処理１においては、まず、操作者が検査対象となる４デッキ分のトランプカード束１００をカードセット台１４上にセットする（ステップＳ１１１）。そして、オペレーションパネル３０の読取判定スタートボタン３０３を押すことにより開始を指示する（ステップＳ１１２）。すると、入力部３０２によりこれを受けた制御部３１は搬送部７０としての送出ローラ１５や搬送ローラ１６及び１７を駆動する（ステップＳ１１３）。そして、セットされたトランプカード束１００から送出ローラ１５によってトランプカード１０を一枚ずつ送り出す。このローラ駆動の開始と同時に紫外線ランプ１９が点灯する。なお、この時、仕切り片２４は常時上を向いており、搬送ローラ１７に搬送されたトランプカード１０は全て正常カードストッカ２７にストックされる。
【０１１１】
制御部３１は、搬送されるトランプカード１０から読取られた識別コードを記憶部２９１に記憶する（ステップＳ１１４）。ここで、紫外線ランプ１９が点灯しているので、識別コードのインクが発色ており、紫外線センサ２０を用いて識別コードを読取ることができる。
【０１１２】
次に、４デッキのすべてのトランプカードについて読取りを行ったかを判断する（ステップＳ１１５）。全て終了していない場合には（ステップＳ１１５でＮＯ）、次のカードについて識別コードの読取り・記憶を行うべくステップＳ１１４に戻る。すべてについて読み取りが終了した場合（ステップＳ１１５でＹＥＳ）には、記憶した識別コードの中で最も多いコードを正常識別コードと特定し、正常識別コード記憶部２９１１に記憶して（ステップＳ１１７）正常識別コード特定処理を終了する。
【０１１３】
ここで、４デッキについて識別コードが１つである場合には、最も多い識別コードをそのまま１つだけ正常識別コードとして特定する。一方、４デッキのそれぞれの識別コードが異なる場合には、読み取られた回数の上位４番目までのコードを正常識別コードとして特定する。
【０１１４】
判定処理１では、まず、操作者が正常識別コード特定処理１によりストッカ２７にストックされたトランプカード束１００を再びカードセット台１４にセットする（ステップＳ２１１）。次に、操作者がオペレーションパネル３０の異常カード摘出スタートボタン３０４を押すことにより開始を指示する（ステップＳ２１２）。この開始指示に応答して送出ローラ１５、搬送ローラ１６及び１７が駆動される（ステップＳ２１３）。このローラ駆動開始と同時に紫外線ランプ１９が点灯する。なお、この時点で仕切り片２４は上を向いており、搬送ローラ１７に搬送されたトランプカードは正常カードストッカ２７に搬送されるようになっている。
【０１１５】
読取部６０は、一枚ずつ搬送されるトランプカード１０から識別コード、種類表記、絵柄をそれぞれ読み取り、各読取データを生成する。判定部２９２では、識別コード判定部２９２１によって識別コード読取データと正常識別コード記憶部２９１に記憶された正常識別コードとを比較する（ステップＳ２１４）。
【０１１６】
そして、識別コード読取データと正常識別コードとが一致するか否かを判断し（ステップＳ２１５）、一致しない場合（ステップＳ２１５でＮＯ）には、ロータリソレノイド２５を駆動してそのトランプカードを異常カードストッカ２８に導く（ステップＳ２１６）。そして、すべてのトランプカードについて検査が終了したか否かが判断される（ステップＳ２１７）。ここでは、検査装置１のカードセット台１４に設けられた図示しないセンサによってカードセット台１４に残っているトランプカードの有無によりすべてのトランプカードについて検査が終了したかいなかが判断される。なお、識別コードを有しないカードについては、識別コード読取データはエラーコードと認識されるので、ステップＳ２１５では必ずＮＯとなり、ロータリソレノイドが駆動する（ステップＳ２１６）。
【０１１７】
一方、ステップＳ２１５において一致する、即ち正常トランプカードであると判定された場合（ステップＳ２１５でＹＥＳ）には、ロータリソレノイド２５を駆動することなく全て終了したか否かが判断され（ステップＳ２１７）る。全て終了していると判断されたら（ステップＳ２１７でＹＥＳ）送出ローラ１５や搬送ローラ１６及び１７の駆動を停止して（ステップＳ２１８）判定処理を終了する。一方、すべてが終了していない場合（ステップＳ２１６でＮＯ）、ステップＳ２１４に戻り、次のトランプカードについて読取り・比較処理を行う。
【０１１８】
なお、この判定処理では、異常トランプカードの判定と並行して、読み取った識別コードに含まれる組情報、製造年月日情報、製造元情報、カジノ情報、及び製造ロット情報を解析しモニタ３０に表示する。また、種類コード、種類表記、及び絵柄を読み取ってその結果もモニタ３０に表示する。
【０１１９】
これらの処理のために、モニタ３０には、上述した読取判定スタートボタン３０３及び異常トランプカード摘出スタートボタン３０４と、読み取ったコードや情報が何であるかを報知表示する読取データ表示部３０５と、読み取ったトランプカード１０の種類とその枚数を表示する種類表示部３０６とを有する。
【０１２０】
種類表示部３９は右側部のＳ行はスペード、Ｄ行はダイヤ、Ｃ行はクローバ、Ｈ行はハート、Ｎ行はジョーカーを示し、上部Ａ〜Ｋ列はランクを示す。種類表示部３０６の各セグメントには、種類表記を読み取ることにより生成された種類読取データに基づいて、読み取られた枚数をそれぞれ表示する。図１２の例は１デッキを一組として検査を行った場合の表示であり、ＨのＪには２と表示されており、ＨのＪが一枚多い異常状態を示している。また、ＨのＫには０が表示されており、ＨのＫが一枚足りない異常状態を示している。この２箇所は色が変わり点滅し、音により異常があることを報知するようになっている。４デッキのトランプカードについて検査を行った場合には、正常な状態として４が表示され、３や５などが表示されている状態が異常状態となる。
【０１２１】
また、モニタ３０に更にコード表示ボタンを設けて、そのコード表示ボタンが押されることにより識別コードと異常コードの内容を示した画面が表示され、異常コード内容にはカードの種類も表示されるようにしてもよい。このようにすることにより、異常トランプカードが本来属するべき組を特定し、該本来属する組に戻し正常組としての再使用をすることが可能となる。
【０１２２】
上述したように、ステップＳ２１４では、識別コードを比較することにより、正常トランプカードであるか異常トランプカードであるかを判定したが、この判定と並行して絵柄による判定を行ってもよい。この場合には、読取部６０でＣＣＤカメラ２２により生成された絵柄読取データと比較絵絵柄データ記憶部２９１２に記憶された比較絵柄データとを絵柄判定部２９２２により比較し、両者が一致するかを判定する。一致しない場合には、ロータリソレノイドを駆動してそのトランプカードを異常カードストッカ２８に導く。
【０１２３】
〔第１の検査処理における形態２〕
形態１では、いわば多数決方式で正常識別コードを特定したのに対し、形態２においては、サンプルカードを読み取ることにより正常識別コードを特定する。サンプルカードは、一又は複数のデッキからなる組に対して少なくとも１枚用意されている。複数デッキから組を構成する場合に、各デッキ同士で識別コードが異なるときにはデッキ毎にサンプルカードが用意され、組内の各デッキ同士で識別コードが共通であるときにはその組に一枚のサンプルカードが用意される。サンプルカードは通常のカードゲームにおいては使用されず、この検査処理において正常識別コードを特定するために用いられるものである。
【０１２４】
図１３は、形態２における正常識別コード特定処理（正常識別コード特定処理２）のフローチャートである。また、図１４は、形態２におけるモニタ３０の表示例である。
【０１２５】
正常識別コード特定処理２においては、まず、サンプルカードのみをカードセット台１４にセットする（ステップＳ１２１）。このとき、正常識別コードが４デッキのそれぞれについて互いに異なっている場合には、それら４枚のサンプルカードをセットする。そして、操作者はオペレーションパネル３０のサンプル読取スタートボタン３０７を押すことにより開始を指示されたら（ステップＳ１２２）、ローラ駆動を開始し（ステップｓ１２３）、サンプルカードの識別コードを読み取り、記憶する（ステップＳ１２４）。また、この時、紫外線ランプ１９を点灯させる。
【０１２６】
サンプルカードが複数枚ある場合、即ち４デッキのそれぞれについて識別コードが異なる場合には、サンプルカードについての読取り・記憶を繰り返す（ステップＳ１２５でＮＯ）。すべてのサンプルカードの読取が終了したら（ステップＳ１２５でＹＥＳ）、ローラの駆動を停止して（ステップＳ１２６）正常識別コード特定処理を終了する。
【０１２７】
判定処理については、図１１に示す判定処理１と同様に行う。なお、ステップＳ２１２の開始指示は、図１４の判定処理スタートボタン３０８を押すことにより行う。また、判定の結果は、結果表示部３０９にテキスト表示される。
【０１２８】
〔第１の検査処理における形態３〕
形態３では、操作者の手入力によって正常識別コードが特定される。各デッキを表す識別コード又は４デッキからなる組を表す識別コードは、例えばそのトランプカード束を収容するためのケースに表記されており、操作者はその表記を見ることによりその組に対応する識別コードを知ることができる。
【０１２９】
図１５は、形態３における正常識別コード特定処理（正常識別コード特定処理３）のフローチャートである。また、図１６は、形態３におけるモニタ３０の表示例である。正常識別コード特定処理３では、操作者はモニタ３０に表示されたテンキー３１０により正常識別コードを入力し、確定ボタン３１１を押す（ステップＳ１３１）。これにより、正常識別コードが特定され、次に判定処理１と同様の判定処理を行う。
【０１３０】
ここで、形態３における判定処理では、ステップＳ２１２において、操作者はモニタ３０に表示されたスタートボタン３１２を押すことにより、開始を指示する。また、形態３では、形態２と同様に、判定結果は結果表示部３１３にテキスト表示される。
【０１３１】
〔第１の検査処理における形態４〕
形態４では、判定処理において異常カードがあると判断された場合には、その時点でローラの駆動を停止し、それ以降のカードの読取りを中止する。
【０１３２】
検査対象たる複数枚のトランプカードの中に異常トランプカードが含まれているときにはその複数枚のトランプカードをすべて廃棄処分にするとの運用を採用しているカジノ遊技場にとっては、このように異常カードの存在が判明した時点で検査を中止すれば、検査処理を短時間で行えることになる。
【０１３３】
なお、異常カードの存在により検査を中止した後にその異常カードを取り除き、いまだ検査がされていない残りのトランプカードについて検査処理を再開してもよい。この操作を繰り返すことにより、検査対象たる複数枚のトランプカードの中から異常カードをすべて取り除くことができる。
【０１３４】
図１７は、形態４における判定処理（判定処理２）のフローチャートである。形態４では、上記形態１乃至形態３のいずれかにおける正常識別コード特定処理又は、他の正常識別コード特定処理によって識別コードを特定する。判定処理２において、ステップＳ２２１においてカードをセットしてから異常トランプカードがなく判定処理を終了するステップＳ２２７までの処理は、図１１に示した判定処理１のステップＳ２１１からステップＳ２１７までの処理と同じであるので説明を省略する。
【０１３５】
判定処理２においては、読取識別コードと正常識別コードとが一致しない場合（ステップＳ２２５でＮＯ）には、送出ローラ１５、搬送ローラ１６及び１７の駆動を停止し（ステップＳ２２７）、判定処理を終了する。
【０１３６】
〔第１の検査処理における形態５〕
形態５では、検査対象たる複数枚のトランプカードのうち、最初のトランプカードから読取った識別コード（初識別コード）を正常識別コードとみなし、２枚目以降のトランプカードについては、この初識別コードとそれらの識別コードとが一致するか否かにより正常か異常かを判断する。
【０１３７】
また、モニタ３０には識別コードの読取結果をそのトランプカードの種類と関連付けて随時表示していく。これによりどの種類のトランプカードが正常であり、どの種類のトランプカードが異常であるかを特定することができる。
【０１３８】
図１８は、形態５における正常識別コード特定処理（正常識別コード特定処理４）のフローチャートである。また、図１９は、形態５における判定処理（判定処理３）のフローチャートである。また、図２０は、形態５におけるモニタ３０の表示例である。
【０１３９】
正常識別コード特定処理４において、操作者はまず、カードセット台１４に検査対象たる複数のトランプカードの束１００をセットする（ステップＳ１４１）。そして、オペレーションパネル３０のスタートボタン３１４を押すことにより開始を指示する（ステップＳ１４２）。これによりローラの駆動が開始される（ステップＳ１４３）。なお、このとき紫外線ランプ１９も同時に点灯する。そして、トランプカード束１００の一番下のトランプカード１０が搬送され、識別コード、種類表記、絵柄がそれぞれ読取られる。読取られた識別コードは、正常識別コードとして正常識別コード記憶部２９１１に記憶される（ステップＳ１４４）。また、このとき読取られた種類表記によって種類判定部２９２３において種類を判定し、モニタ３０の表示内容を更新する。
【０１４０】
その後、ローラの駆動を停止させることなく、続く２枚目以降のトランプカードについての判定処理が開始される。判定処理３では、トランプカードの識別コードを読取り、正常識別コード記憶部２９１１に記憶された正常識別コードとの比較をし（ステップＳ２３１）、一致／不一致を判定する。そして、種類表記の読取に基づき種類判定部２９２３で判定された種類に対応するセグメントの数字をインクリメントさせる（ステップＳ２３２）。この時、読取った識別コードと正常識別コードとが一致しなかった場合には、そのセグメントの数字の色を変え、点滅させるなどする。
【０１４１】
そして、すべてのトランプカードについて判定が終了したかを判断し（ステップＳ２３３）、終了したら（ステップＳ２３３でＹＥＳ）ローラの駆動を停止して（ステップＳ２３４）判定処理を終了する。すべての判定が終了していない場合（ステップＳ２３３でＮＯ）は、ステップＳ２３１、Ｓ２３２を繰り返す。
【０１４２】
判定処理が終了したら、オペレーションパネルの結果表示部３１３に結果を表示する。
なお、４デッキがそれぞれ異なる識別コードを有する場合には、最初の４枚のトランプカードの識別コードをそのまま正常識別コードとするのではなく、最初に認識された識別コードをまず正常識別コードとして特定し、以降は既に正常識別コードとして特定された識別コードとは異なる識別コードが読取られた場合にそれらを順次正常識別コードとして特定する。これを正常識別コードが４つになるまで行う。
【０１４３】
〔形態５の変形例〕
上述した形態５において、最初に読取られるカード、即ちカードセット台１４に一番下にセットされるカードをサンプルカードとしてもよい。４デッキがそれぞれ異なる識別コードを有する場合には、最初の４枚（下から４枚）のカードをサンプルカードとすればよい。
【０１４４】
〔第２の検査処理〕
第１の検査処理では、最初に正常識別コードを特定した上で、検査対象たるトランプカードから読取られた識別コードがその正常識別コードと一致するか否かを判断することによりそのトランプカードが正常であるか異常であるかを判定した。これに対し、第２の検査処理では、基準となる正常識別コードを特定することなく、いわば相対的な比較により、検査対象たる複数枚のトランプカードの中に異常トランプカードが含まれているか否かを判断する。この第２の検査処理においては、複数デッキからなる組の中で識別コードが共通である。
【０１４５】
図２１は、第２の検査処理（検査処理２）のフローチャートである。検査処理２では、操作者はまず検査対象たる複数枚のトランプカードをカードセット台１４にセットする（ステップＳ１１）。そして、オペレーションパネルによって開始を指示し（ステップＳ１２）ローラ駆動を開始させる（ステップＳ１３）。検査装置はまず一枚目のトランプカードについて識別コードを読取り（ステップＳ１４）、それを記憶する（ステップＳ１５）。
【０１４６】
そして、次のトランプカードの識別コードを読取り（ステップＳ１６）、先に記憶された識別コードと一致するか否かを判断する（ステップＳ１７）。一致しない場合（ステップＳ１７でＮＯ）には、その旨を報知し（ステップＳ１８）、ローラを停止させる（ステップＳ２１）。一致する場合には、すべてのトランプカードについて検査が終了したかを判断し（ステップＳ１９）、終了していない場合（ステップＳ１９でＮＯ）には、ステップＳ１５で記憶された識別コードをステップＳ１６で読取った識別コードに更新し（ステップＳ２０）、次のトランプカードの識別コードを読取る（ステップＳ１６）。
【０１４７】
このように、識別コードの読取り、判断、記憶の更新を繰り返していくことにより、検査対象たる複数枚のトランプカードについてすべての識別コードが一致するか否かを判断する。ステップＳ１９においてすべてのトランプカードについて検査が終了した場合（ステップＳ１９でＹＥＳ）には、ローラを停止して（ステップＳ２１）検査処理を終了する。
【０１４８】
〔第２の検査装置〕
図２２は、検査装置の第２の形態を表す概略側面図である。トランプカードの検査装置２では、トランプカードの検査装置１の送出ローラ１５、搬送ローラ１６、１７に変えて送出ベルト３４が傾斜させて設けられている。また、第２の形態では、トランプカード１０の種類を読み取るためのＣＣＤカメラ及び絵柄を読み取るためのＣＣＤカメラはない。更に、異常カードを摘出するための仕切り片やロータリソレノイドもない。このような構成にすることにより、第１の形態と比較して、装置の小型化が図れる。
【０１４９】
送出ベルト３４の上に置かれたトランプカードの束１００は、自重により送出ベルト３４の傾斜にしたがって壁部材３５に当接する。壁部材３５の下端部と送出ベルト３４との間にはトランプカード１０が一枚通る隙間があり、送出ベルト３４の回転にしたがって、トランプカード束１００の一番下のカードが紫外線センサ２０と対向する位置に搬送される。トランプカード１０は、送出ベルト３４によってさらに送り出されることにより、送出ベルト３４から離れてストッカ３６に落下する。第２の形態においても、第１の形態と同様に、記憶判定ユニット２９とモニタ３０とを含む制御部３１、及び紫外線ランプ１９を有する。
【０１５０】
〔第３の検査装置（２ローラ対タイプ）〕
第３の検査装置は、識別コード等を読取る際にトランプカードを保持しつつ搬送する搬送ローラ対を２組備えるタイプの検査装置である。
【０１５１】
図２３は、検査装置の第３の形態を表す概略側面図である。第３の形態にかかる検査装置３は、検査対象たるトランプカード束１００をセットするためのカードセット台１４と、壁部材３５と、送出ローラ１５とを有する。第３の形態では、検査対象たるトランプカード１０は、識別コードが印刷された面が下を向くようにカードセット台１４にセットされる。
【０１５２】
カードセット台１４は、トランプカード１０を送出ローラ１５に案内するように上側が湾曲しており、これによりトランプカード束１００は壁部材３５に当接する。送出ローラ１５は、単独で用いられ、図中の矢印の方向に回転駆動され、トランプカード束１００の一番下のトランプカード１０を送り出す。
【０１５３】
送出ローラ１５の上部には、定位置で回転自在な鉄球おもり１３が設けられている。カードセット台１４の最下のトランプカード１０は、鉄球おもり１３により送出ローラ１５に押さえつけられる。これによりトランプカード１０が確実に一枚ずつ送り出される。なお、検査装置３では、検査対象たるトランプカード１０は、裏面即ち絵柄が表された面を上にしてセットされる。
【０１５４】
検査装置３は、さらに、所定の間隔を隔てて設けられた搬送ローラ１６及び１７を有し、両搬送ローラの下側には紫外線ランプ１９、ＣＣＤカメラ２０及びミラー３８が設けられている。搬送ローラ１６対及び搬送ローラ対１７は、トランプカード１０の識別コード等が読取られる際にそのトランプカード１０を保持しつつ搬送するローラである。また、搬送ローラ対１６及び１７の上側には、トランプカード１０の裏面の絵柄を読み取り、また、ミラー３８を用いてトランプカード１０の表面の種類表記を読み取るためのＣＣＤカメラ３７が設けられている。
【０１５５】
送出ローラ１５により一枚ずつ送り出されたトランプカード１０は、搬送ローラ対１６及び１７によって順にＣＣＤカメラ２０やＣＣＤカメラ３７と対向する位置に搬送される。ＣＣＤカメラ２０及びＣＣＤカメラ３７は、トランプカード１０の搬送に伴う適宜のタイミングでセンシングを行う。
【０１５６】
検査装置３では、ＣＣＤカメラ３７が絵柄を直接読み取るとともに、ミラー３８を用いて表（おもて）面の種類表記をもＣＣＤカメラ３７で読み取ることとしているので、それぞれを読み取るためのＣＣＤカメラを２つ設けている第１の形態と比較して装置の簡略化及び小型化が図られる。
【０１５７】
検査装置３は、また、検査を終えたトランプカード１０をストックするためのストッカ３６と、ストッカ３６に積まれるトランプカード１０の枚数に応じてストッカ３６を上下動させるためのモータ３９とを有する。また、検査装置３も検査装置１や２と同様に、記憶判定ユニット２９とモニタ３０とを含む制御部３１を有する。
【０１５８】
〔第４の検査装置（１ローラ対タイプ）〕
第３の検査装置が搬送ローラ対を２組備えていたのに対して、第４の検査装置は搬送ローラ対を１組だけ設け、その１組の搬送ローラ対に保持されているトランプカードから識別コードを読取る。
【０１５９】
図２４は、検査装置の第４の形態を表す概略側面図である。第４の形態にかかる検査装置４は、検査装置３と同様に、検査対象たるトランプカード束１００をセットするためのカードセット台１４と、壁部材３５と、送出ローラ１５とを有する。第４の形態では、検査対象たるトランプカード１０は、識別コードが印刷された面が上を向くようにしてカードセット台１４にセットされる。
【０１６０】
送出ローラ１５の搬送路先方には、搬送ローラ１６が設けられている。なお、検査装置４においては、検査装置３の搬送ローラ１７に対応する搬送ローラはない。つまり、トランプカードは搬送ローラ１６のみによって保持されている状態で識別コード等を読取られる。また、検査装置４では、紫外線ランプ１９は、まだ搬送ローラ１６を通過していないトランプカード１０の部分に紫外線を照射するように、両ローラの間に設けられている。
【０１６１】
更に、検査装置４では、トランプカード１０の下面をＣＣＤカメラ４０に向けて反射するようにミラー３８が設けられている。したがって、ＣＣＤカメラ４０は、搬送ローラ１６のみによって支持されるトランプカード１０の識別コード、種類表記、及び絵柄をすべて読取ることができる。ＣＣＤカメラ４０は、搬送ローラ１６によって片持ちされたトランプカードの、識別コードと種類表記とを直接センシングし、下面の絵柄はミラー３８により反射された像をセンシングする。
【０１６２】
ストッカ３６やモータ３９の構成については、検査装置３と同様である。また、記憶判定部２９及びモニタ３０を含む制御部を有する点も検査装置３と同様である。
【０１６３】
なお、上述の実施の形態では、識別コードは各デッキに固有に与えられたものとして説明したが、これに限られない。識別コードは、例えば、トランプカードの一枚一枚に固有に与えられるものであってもよい。この場合には、検査装置は、４デッキのトランプカードを検査するときには、２１２（５３枚×４デッキ）種類のコードを正常識別コード、即ち、所定の組を構成する正常トランプカードが有する識別コード、として認識すればよい。
【０１６４】
また、上述の実施の形態で説明した検査装置は、カジノ遊技場の各コーナーにおいてトランプカードをシャッフルするためのシャッフル装置に組み込まれてもよい。多くのシャッフル装置は、トランプカードを一枚ずつ移送する機構を備えている。シャッフル装置に組み込まれる検査装置は、このシャッフル装置の移送機構により移送されるトランプカードから識別コード及び必要に応じて他の情報を読取る。この形態によれば、シャッフル装置のカード移送機構がトランプをシャッフルするためだけでなく、検査をするためにも用いられる。したがって、検査装置を安価に提供できる。更に、この形態によれば、ゲーム中に検査を行うことができ、ゲームの信頼性が向上し、ゲームの回転も速くなる。また、ゲーム中にカードの点検を客の前で行う場合、異常があれば異常内容を知りたいと思う客の心理は当然のことであり、この要求にもこたえることができる。少なくとも、負け客は、異常カードが混入しているイカサマがあったかもしれないゲームにおいては納得しないであろう。ゲームの内容にもよるが、どの種類のカードをどの客が持っていたかは、ゲーム中にゲーム者やリーダー、見物者により認識されている。したがって、異常カードの種類を特定することにより、どの客に渡っていたカードなのかを特定することが可能となる。
【０１６５】
以上説明したトランプカードの検査技術は、カジノ遊技場において行われた不正行為を発見するだけでなく、監視カメラなどと併用することにより不正行為者の特定にも寄与する。例えば、異常トランプカードを含む組がどのテーブルで使用されていたのかを特定し、そのテーブルに設置されていた監視カメラによる映像からその異常トランプカードを扱っていた者を見つけ出すことで不正行為者を特定することができる。
【０１６６】
〔付記〕
以下、検査技術の概略を付記として述べる。上述の説明から明らかなように、以下の技術は、これまで説明してきた実施形態と対応している。また、図２５〜２７は以下の検査技術と対応している。
【０１６７】
１．（図２５）この検査技術では、カード本体の表側に印刷などにより設けてなるトランプカードの前記識別コードを、読取手段（識別コード読取部）と記憶判定部と報知部とを有するトランプカード判別装置が読取り記憶していく。その識別コードは、１組（１又は複数のデッキからなる）を構成するトランプカードであることを示すコードであって、光センサや磁気センサやカメラなどの読取手段により読取ることができると共に、通常の使用条件においては人間の肉眼では可視不可能な組コードである。その識別コードは、例えば数字、記号、バーコード等からなる。読取った識別コードのすべてが一致した場合にはその組は正常組と判定され、読取ったあるいは読取っていく識別コードと相違（読取不可、バーコード等無しを含む。）のものがある場合には異常組と判定される。読取った１組が正常組あるいは異常組であることが報知手段により報知される。例えば、正常組又は正常カードは再使用され、異常組又は異常カードは廃棄処分される。
【０１６８】
２．（図２６）好ましくは、最初に読取られたカードの識別コードが初識別コードとされる。この初識別コードと、それに続いて読取られた識別コードが全て一致した場合には素の組は正常組と判断される。一方、読取ったあるいは読取っていく識別コードの中に初識別コードと相違（読取不可、バーコード無しを含む）するものがある場合には、その組は異常組と判断される。
【０１６９】
初識別コードが異常である場合もありうる。典型的には、最初に異常なトランプカードが読取られた場合である。この場合、正常識別コードと一致しない識別コードが連続して読取られる。初識別コードが異常である場合も、その組は異常組と判定される。
【０１７０】
３．（図２７）好ましくは、すべてのカードの識別コードが読取り記憶され、最も多い識別コードが正常識別コードとして特定される。この正常識別コードとは相違する異常コード（識別コード無しや読取不可能を含む）や不足カード、超過カードが検出された場合には、前記報知手段は前記１組を構成するトランプカードに異常があることを報知する。
好ましくは、トランプカード判別装置はトランプカードの種類を判別する種類判別手段を有する。識別コードの読取記憶内容に前記種類の読取結果が加えられる。報知部は異常カードの種類を報知するモニタである。
【０１７１】
好ましくは、識別コードは、紫外線などの特殊光線が当たると発色ないし発光をするとともに、その特殊光線の影響がなくなると肉眼では見えない状態となる特殊光線発色（又は発光）インクによりトランプカードに印刷されている。
【０１７２】
好ましくは、識別コードはバーコードである。また、識別コードは組コードと製造年月日コードとからなる。さらに、識別コードにはカジノコードが加えられる。
【産業上の利用可能性】
【０１７３】
本発明は、カジノ業界において好適に利用される。具体的には、本発明は、カジノ遊戯場において、真正なトランプカードの中に不正目的で混入された異常トランプカードを発見するための技術に関する。
【図面の簡単な説明】
【０１７４】
【図１】図１は、紫外線を照射しない状態（通常の使用状態）のトランプカードの概観図である。
【図２】図２は、図１のトランプカードに紫外線を照射した場合の概観図である。
【図３】図３は、紫外線を照射しない状態（通常の使用状態）のトランプカードの他の例の概観図である。
【図４】図４は、図３のトランプカードに紫外線を照射した場合の概観図である。
【図５】図５は、トランプカードに含まれる情報を模式的に表した図である。
【図６】図６は、検査装置の第１の形態を表す概略側面図である。
【図７】図７は、図６の検査装置の概略平面図である。
【図８】図８は、検査装置の機能的な構成を表すブロック図である。
【図９】図９は、第１の検査処理のフローチャートである。
【図１０】図１０は、第１の正常識別コード特定処理のフローチャートである。
【図１１】図１１は、第１の判定処理のフローチャートである。
【図１２】図１２は、オペレーションパネルの第１の表示例を表す図である。
【図１３】図１３は、第２の正常識別コード特定処理のフローチャートである。
【図１４】図１４は、オペレーションパネルの第２の表示例を表す図である。
【図１５】図１５は、第３の正常識別コード特定処理のフローチャートである。
【図１６】図１６は、オペレーションパネルの第３の表示例を表す図である。
【図１７】図１７は、第２の判定処理のフローチャートである。
【図１８】図１８は、第４の正常識別コード特定処理のフローチャートである。
【図１９】図１９は、第３の判定処理のフローチャートである。
【図２０】図２０は、オペレーションパネルの第４の表示例を表す図である。
【図２１】図２１は、第２の検査処理のフローチャートである。
【図２２】図２２は、検査装置の第２の形態を表す概略側面図である。
【図２３】図２３は、検査装置の第３の形態を表す概略側面図である。
【図２４】図２４は、検査装置の第４の形態を表す概略側面図である。
【図２５】図２５は、トランプカードの半別方法の概念図である。
【図２６】図２６は、トランプカードの半別方法の概念図である。
【図２７】図２７は、トランプカードの半別方法の概念図である。
【図１】
2008093470.tif 000003
【図２】
2008093470.tif 000004
【図３】
2008093470.tif 000005
【図４】
2008093470.tif 000006
【図５】
2008093470.tif 000007
【図６】
2008093470.tif 000008
【図７】
2008093470.tif 000009
【図８】
2008093470.tif 000010
【図９】
2008093470.tif 000011
【図１０】
2008093470.tif 000012
【図１１】
2008093470.tif 000013
【図１２】
2008093470.tif 000014
【図１３】
2008093470.tif 000015
【図１４】
2008093470.tif 000016
【図１５】
2008093470.tif 000017
【図１６】
2008093470.tif 000018
【図１７】
2008093470.tif 000019
【図１８】
2008093470.tif 000020
【図１９】
2008093470.tif 000021
【図２０】
2008093470.tif 000022
【図２１】
2008093470.tif 000023
【図２２】
2008093470.tif 000024
【図２３】
2008093470.tif 000025
【図２４】
2008093470.tif 000026
【図２５】
2008093470.tif 000027
【図２６】
2008093470.tif 000028
【図２７】
2008093470.tif 000029